(57)【要約】      （修正有）【課題】抗菌効果や消臭効果、アンチエイジング効果、美肌効果、美髪効果、健康維持効果を高める下着を提供する。【解決手段】本下着は、白金をナノサイズの微小粒子にした白金ナノコロイド１の水溶液に浸し、乾燥させることで、生地を構成する繊維２の表面に該白金ナノコロイド１を定着させたことを特徴とするものである。【選択図】図１
0003153691.tif 000002
【実用新案登録請求の範囲】
【請求項１】
繊維で構成された生地を加工した下着であって、白金粒子が分散した白金ナノコロイドの水溶液に浸し、乾燥させることで、上記生地を構成する上記繊維の表面に上記白金ナノコロイドの上記白金粒子を定着させたことを特徴とする下着。
【請求項２】
繊維で構成された生地を加工した下着であって、少なくとも一部の領域に、白金粒子が分散した白金ナノコロイドの水溶液を噴霧し、乾燥させることで、該一部の領域に係る上記生地を構成する上記繊維の表面に上記白金ナノコロイドの上記白金粒子を定着させたことを特徴とする下着。
【請求項３】
繊維で構成された生地を加工した下着であって、着用したときに内側となる面に、白金粒子が分散した白金ナノコロイドの水溶液を噴霧し、乾燥させることで、上記生地を構成する上記繊維の上記内側の表面に上記白金ナノコロイドの上記白金粒子を定着させたことを特徴とする下着。
【請求項４】
繊維で構成された生地を加工した下着であって、白金粒子が分散した白金ナノコロイドの水溶液に浸し、乾燥させることで、上記生地を構成する上記繊維の表面に上記白金ナノコロイドの上記白金粒子を定着させた後、
更に一部の領域に、上記白金粒子が分散した上記白金ナノコロイドの水溶液を噴霧し、乾燥させることで、該一部の領域に係る上記生地を構成する上記繊維の表面に上記白金ナノコロイドの上記白金粒子を更に定着させたことを特徴とする下着。
【請求項５】
上記一部の領域とは、使用時に人の肌が当接する領域であることを特徴とする請求項２又は４のいずれかに記載の下着。
【考案の詳細な説明】
【技術分野】
【０００１】
本考案は、例えば、キャミソール、タンクトップ、ショーツ、ブリーフ、トランクス、ブラジャー等の下着に関する。
【背景技術】
【０００２】
従来、例えば、キャミソール、タンクトップ、ショーツ、ブリーフ、トランクス、ブラジャー等の下着は、人の肌に密着するものであることから、抗菌性や消臭性等が求められている。
【０００３】
このような要求に鑑み、例えば特許文献１では、塩基性悪臭物質を吸着脱臭する脱臭糸を含有することを特徴とする下着の付属部分品が開示されている。
【先行技術文献】
【特許文献】
【０００４】
【特許文献１】特開２００４−９１９３５号公報
【考案の概要】
【考案が解決しようとする課題】
【０００５】
しかしながら、前述した先行技術は、消臭効果に着目したもので、抗菌効果やアンチエイジング効果、美肌効果、美髪効果、疲労回復効果、健康維持効果には着目されていない。
【０００６】
今日では、白金をナノサイズの微小粒子にした所謂「白金ナノコロイド」が、これら全ての効果を高めるものとして注目されているが、白金ナノコロイドを利用した下着は実現されていないのが実状である。
【０００７】
そこで、本考案は、上述の技術的な課題に鑑みて、白金ナノコロイドの白金粒子を、生地を構成する繊維の表面に付着させることで、抗菌効果や消臭効果、アンチエイジング効果、美肌効果、美髪効果を高める下着を提供することを目的とする。
【課題を解決するための手段】
【０００８】
上述技術的な課題を解決するため、本考案の第１の態様に係る下着は、繊維で構成された生地を加工した下着であって、白金粒子が分散した白金ナノコロイドの水溶液に浸し、乾燥させることで、上記生地を構成する上記繊維の表面に上記白金ナノコロイドの上記白金粒子を定着させたことを特徴とする。
【０００９】
本考案の第２の態様に係る下着は、繊維で構成された生地を加工した下着であって、少なくとも一部の領域に、白金粒子が分散した白金ナノコロイドの水溶液を噴霧し、乾燥させることで、該一部の領域に係る上記生地を構成する上記繊維の表面に上記白金ナノコロイドの上記白金粒子を定着させたことを特徴とする。
【００１０】
本考案の第３の態様に係る下着は、繊維で構成された生地を加工した下着であって、着用したときに内側となる面に、白金粒子が分散した白金ナノコロイドの水溶液を噴霧し、乾燥させることで、上記生地を構成する上記繊維の上記内側の表面に上記白金ナノコロイドの上記白金粒子を定着させたことを特徴とする。
【００１１】
本考案の第４の態様に係る下着は、繊維で構成された生地を加工した下着であって、白金粒子が分散した白金ナノコロイドの水溶液に浸し、乾燥させることで、上記生地を構成する上記繊維の表面に上記白金ナノコロイドの上記白金粒子を定着させた後、更に一部の領域に、上記白金粒子が分散した上記白金ナノコロイドの水溶液を噴霧し、乾燥させることで、該一部の領域に係る上記生地を構成する上記繊維の表面に上記白金ナノコロイドの上記白金粒子を更に定着させたことを特徴とする。
【００１２】
尚、上記一部の領域とは、使用時に人の肌が当接する領域であってよい。
【考案の効果】
【００１３】
本考案に係る下着によれば、白金ナノコロイドの白金粒子を、生地を構成する繊維の表面に付着させることで、抗菌効果や消臭効果、アンチエイジング効果、美肌効果、美髪効果を高めることが可能となる。
【図面の簡単な説明】
【００１４】
【図１】（ａ）及び（ｂ）は本考案の実施形態に係る下着の生地を構成する繊維に白金ナノコロイドを付着した様子を示す概念図である。
【図２】本考案の第１の実施形態に係るキャミソールの構成図である。
【図３】本考案の第２の実施形態に係るタンクトップの構成図である。
【図４】本考案の第３の実施形態に係るショーツの構成図である。
【図５】本考案の第４の実施形態に係るブリーフの構成図である。
【図６】本考案の第５の実施形態に係るトランクスの構成図である。
【図７】本考案の第６の実施形態に係るブラジャーの構成図である。
【考案を実施するための形態】
【００１５】
以下、本考案の下着に係る好適な実施形態について、図面を参照しながら説明する。本考案の下着は、以下の記述に限定されるものではなく、本考案の要旨を逸脱しない範囲において、適宜変更可能である。
【００１６】
尚、本願において「下着」とは、例えばキャミソール、タンクトップ、ショーツ、ブリーフ、トランクス、ブラジャー等を概念上含むものとする。
【００１７】
先ず、図１を参照して、第１乃至第６の実施形態に共通する概念を説明する。
【００１８】
図１（ａ）、（ｂ）は、下着の生地を構成する繊維に白金ナノコロイドを付着させた様子を示している。これらの図に示されるように、下着の生地を構成する繊維２には、白金ナノコロイド１が付着されている。より具体的には、下着を白金ナノコロイド１の水溶液に浸した後、乾燥させることで、該下着の生地を構成する繊維の表面に白金ナノコロイド１の白金粒子が定着することになる。或いは、下着に霧吹き等で白金ナノコロイド１の水溶液を噴霧し、乾燥させることで、該下着の生地を構成する繊維の表面に白金ナノコロイド１の白金粒子が定着することになる。
【００１９】
ここで、「白金ナノコロイド」とは、白金をナノサイズの微小粒子にした白金粒子が均一に分散した状態のものである。なお、図１（ｂ）においては説明の便宜上、白金ナノコロイド２を実際よりも大きくして図示している。白金ナノコロイド２の白金粒子の平均粒径は、例えば１〜１０ｎｍとなっている。この場合、白金ナノコロイドの水溶液とは、平均粒径が１〜１０ｎｍの白金粒子が均一に分散された白金ナノコロイドの水溶液である。但し、これに限定されないことは勿論である。
【００２０】
白金ナノコロイドは、白金の触媒作用によって皮膚表面等の活性酸素を除去する抗酸化作用を有している。特に、十数種類ある活性酸素のほぼ全ての活性酸素を除去する効果が認められている。さらに、白金ナノコロイドは触媒として作用するために、持続的に抗酸化作用を発揮することができる。これにより、アンチエイジング、美肌、美髪効果が奏される。さらに、消臭効果、抗菌効果も奏される。白金ナノコロイドの中には、社団法人繊維評価技術評議会が定める「防奥抗菌加工／制菌加工繊維製品」のＳＥＫマークの特定赤マークを取得したものもある。また、白金自体は食品添加物として厚生労働省より認可が下りているものであるのである。従って、安全性は十分である。
【００２１】
以下、本考案の第１乃至第６の実施形態について説明する。
【００２２】
（第１の実施形態）
【００２３】
図２は本考案の第１の実施形態に係るキャミソールの構成図である。
【００２４】
図２に示されるように、キャミソール１０は、キャミソール本体１１と２本の肩紐１２で構成されている。即ち、細い肩紐１２で吊るし、肩を露出させる、袖のない形状となっている。キャミソール１０の生地を構成する繊維の表面には白金ナノコロイドが付着されている。より具体的には、キャミソール１０を白金ナノコロイドの水溶液に浸した後、乾燥させることで、該キャミソール１０の生地を構成する繊維の表面に白金ナノコロイドの白金粒子を定着させている。キャミソール１０の所定領域にのみ、霧吹きで白金ナノコロイドの水溶液を噴霧して、乾燥させることで、該所定領域にのみ白金ナノコロイドの白金粒子を定着させるようにしてもよい。
【００２５】
また、キャミソール１０を白金粒子が分散した白金ナノコロイドの水溶液に浸し、乾燥させることで、生地を構成する繊維の表面に白金ナノコロイドの白金粒子を定着させた後、更にキャミソール１０の生地の所定領域に白金ナノコロイドの水溶液を噴霧し、乾燥させることで、該所定領域に係る生地を構成する繊維の表面に白金ナノコロイドの白金粒子を更に定着させてもよい。ここで、所定領域とは、着用したときに人の脇の下等、汗をかきやすい部分の近傍となる領域等である。また、着用したときに内側となる面に、白金粒子が分散した白金ナノコロイドの水溶液を噴霧し、乾燥させることで、生地を構成する繊維の内側の表面に白金ナノコロイドの白金粒子を定着させるようにしてもよい。
【００２６】
従って、第１の実施形態によれば、着用している最中に、白金ナノコロイドの抗酸化作用により、人の皮膚表面等の活性酸素が除去され、アンチエイジング、美肌効果、美髪効果が奏される。さらに、消臭効果、抗菌効果も奏される。
【００２７】
（第２の実施形態）
【００２８】
図３は本考案の第２の実施形態に係るタンクトップの構成図である。
【００２９】
図３に示されるように、タンクトップ２０は、タンクトップ本体２１に肩掛部２２が設けられており、肩掛部２２を肩に引っ掛けるように着用される。即ち、タンクトップ２０は、袖がなく、且つ襟ぐりが幅広或いは深く、合わせや衿のない構成となっている。タンクトップ２０の生地を構成する繊維の表面には白金ナノコロイドが付着されている。より具体的には、タンクトップ２０を白金ナノコロイドの水溶液に浸した後、乾燥させることで、該タンクトップ２０の生地を構成する繊維の表面に白金ナノコロイドの白金粒子を定着させている。タンクトップ２０の所定領域にのみ、霧吹きで白金ナノコロイドの水溶液を噴霧して、乾燥させることで、該所定領域にのみ白金ナノコロイドの白金粒子を定着させるようにしてもよい。
【００３０】
また、タンクトップ２０を白金粒子が分散した白金ナノコロイドの水溶液に浸し、乾燥させることで、生地を構成する繊維の表面に白金ナノコロイドの白金粒子を定着させた後、更にタンクトップ２０の生地の所定領域に白金ナノコロイドの水溶液を噴霧し、乾燥させることで、該所定領域に係る生地を構成する繊維の表面に白金ナノコロイドの白金粒子を更に定着させてもよい。ここで、所定領域とは、着用したときに人の脇の下等、汗をかきやすい部分の近傍となる領域等である。また、着用したときに内側となる面に、白金粒子が分散した白金ナノコロイドの水溶液を噴霧し、乾燥させることで、生地を構成する繊維の内側の表面に白金ナノコロイドの白金粒子を定着させるようにしてもよい。
【００３１】
従って、第２の実施形態によれば、着用している最中に、白金ナノコロイドの抗酸化作用により、人の皮膚表面等の活性酸素が除去され、アンチエイジング、美肌効果、美髪効果が奏される。さらに、消臭効果、抗菌効果も奏される。
【００３２】
（第３の実施形態）
【００３３】
図４は本考案の第３の実施形態に係るショーツの構成図である。
【００３４】
図４に示されるように、ショーツ３０は、フロント部（前身頃）３１、バック部（後身頃）３２、クロッチ部（股布）３３で構成されている。ショーツ３０の生地を構成する繊維の表面には白金ナノコロイドが付着されている。より具体的には、ショーツ３０を白金ナノコロイドの水溶液に浸した後、乾燥させることで、該ショーツ３０の生地を構成する繊維の表面に白金ナノコロイドの白金粒子を定着させている。ショーツ３０の所定領域にのみ、霧吹きで白金ナノコロイドの水溶液を噴霧して、乾燥させることで、該所定領域にのみ白金ナノコロイドの白金粒子を定着させるようにしてもよい。
【００３５】
また、ショーツ３０を白金粒子が分散した白金ナノコロイドの水溶液に浸し、乾燥させることで、生地を構成する繊維の表面に白金ナノコロイドの白金粒子を定着させた後、更にショーツ３０の生地の所定領域に白金ナノコロイドの水溶液を噴霧し、乾燥させることで、該所定領域に係る生地を構成する繊維の表面に白金ナノコロイドの白金粒子を更に定着させてもよい。ここで所定領域とは、人の汗をかきやすい部分の近傍となる領域等である。また、着用したときに内側となる面に、白金粒子が分散した白金ナノコロイドの水溶液を噴霧し、乾燥させることで、生地を構成する繊維の内側の表面に白金ナノコロイドの白金粒子を定着させるようにしてもよい。
【００３６】
従って、第３の実施形態によれば、着用している最中に、白金ナノコロイドの抗酸化作用により、人の皮膚表面等の活性酸素が除去され、アンチエイジング、美肌効果、美髪効果が奏される。さらに、消臭効果、抗菌効果も奏される。
【００３７】
（第４の実施形態）
【００３８】
図５は本考案の第４の実施形態に係るブリーフの構成図である。
【００３９】
図５に示されるように、ブリーフ４０は、フロント部４１、バック部４２で構成されており、フロント部４１には前空き部４３が設けられている。更に、着用時に人のウエストに当接する部分にはゴムによるバンド部４４が設けられている。ブリーフ４０の生地を構成する繊維の表面には白金ナノコロイドが付着されている。より具体的には、ブリーフ４０を白金ナノコロイドの水溶液に浸した後、乾燥させることで、該ブリーフ４０の生地を構成する繊維の表面に白金ナノコロイドの白金粒子を定着させている。ブリーフ４０の所定領域にのみ、霧吹きで白金ナノコロイドの水溶液を噴霧して、乾燥させることで、該所定領域にのみ白金ナノコロイドの白金粒子を定着させるようにしてもよい。
【００４０】
また、ブリーフ４０を白金粒子が分散した白金ナノコロイドの水溶液に浸し、乾燥させることで、生地を構成する繊維の表面に白金ナノコロイドの白金粒子を定着させた後、更にブリーフ４０の生地の所定領域に白金ナノコロイドの水溶液を噴霧し、乾燥させることで、所定領域に係る生地を構成する繊維の表面に白金ナノコロイドの白金粒子を更に定着させてもよい。ここで、所定領域とは、人の汗をかきやすい部分の近傍となる領域等である。また、着用したときに内側となる面に、白金粒子が分散した白金ナノコロイドの水溶液を噴霧し、乾燥させることで、生地を構成する繊維の内側の表面に白金ナノコロイドの白金粒子を定着させるようにしてもよい。
【００４１】
従って、第４の実施形態によれば、着用している最中に、白金ナノコロイドの抗酸化作用により、人の皮膚表面等の活性酸素が除去され、アンチエイジング、美肌効果、美髪効果が奏される。さらに、消臭効果、抗菌効果も奏される。
【００４２】
（第５の実施形態）
【００４３】
図６は本考案の第５の実施形態に係るトランクスの構成図である。
【００４４】
図６に示されるように、トランクス５０は、フロント部５１、バック部５２で構成されており、フロント部５１には前空き部５３が設けられている。更に、着用時に人のウエストに当接する部分にはゴムによるバンド部５４が設けられている。トランクス５０の生地を構成する繊維の表面には白金ナノコロイドが付着されている。より具体的には、トランクス５０を白金ナノコロイドの水溶液に浸した後、乾燥させることで、該トランクス５０の生地を構成する繊維の表面に白金ナノコロイドの白金粒子を定着させている。トランクス５０の所定領域にのみ、霧吹きで白金ナノコロイドの水溶液を噴霧して、乾燥させることで、該所定領域にのみ白金ナノコロイドの白金粒子を定着させるようにしてもよい。
【００４５】
また、トランクス５０を白金粒子が分散した白金ナノコロイドの水溶液に浸し、乾燥させることで、生地を構成する繊維の表面に白金ナノコロイドの白金粒子を定着させた後、更にトランクス５０の生地の所定領域に白金ナノコロイドの水溶液を噴霧し、乾燥させることで、該所定領域に係る生地を構成する繊維の表面に白金ナノコロイドの白金粒子を更に定着させてもよい。ここで所定領域とは、人の汗をかきやすい部分の近傍となる領域等である。また、着用したときに内側となる面に、白金粒子が分散した白金ナノコロイドの水溶液を噴霧し、乾燥させることで、生地を構成する繊維の内側の表面に白金ナノコロイドの白金粒子を定着させるようにしてもよい。
【００４６】
従って、第５の実施形態によれば、着用している最中に、白金ナノコロイドの抗酸化作用により、人の皮膚表面等の活性酸素が除去され、アンチエイジング、美肌効果、美髪効果が奏される。さらに、消臭効果、抗菌効果も奏される。
【００４７】
（第６の実施形態）
【００４８】
図７は本考案の第６の実施形態に係るブラジャーの構成図である。
【００４９】
図７に示されるように、ブラジャー６０は、カップ部６１、ベルト部６２、ストラップ部６３、アジャスター部６４、ホック部６５からなる。カップ部６１とは、バストを覆うものであり、略お椀型をしている。ベルト部は、アンダーバスト部分を、胸部を一回りする形で囲む帯である。ホック部６５により、左右のベルト部６２は固定される。ストラップ部６３は、カップ部６１の上端から延び、肩に掛けられ、背中部分でベルト部６２に接続されている。ストラップ部６３は、アジャスター部６４により、その長さが調節可能となっている。ブラジャー６０の生地を構成する繊維の表面には白金ナノコロイドが付着されている。より具体的には、ブラジャー６０を白金ナノコロイドの水溶液に浸した後、乾燥させることで、該ブラジャー６０の生地を構成する繊維の表面に白金ナノコロイドの白金粒子を定着させている。ブラジャー６０の所定領域にのみ、霧吹きで白金ナノコロイドの水溶液を噴霧して、乾燥させることで、該所定領域にのみ白金ナノコロイドの白金粒子を定着させるようにしてもよい。
【００５０】
また、ブラジャー６０を白金粒子が分散した白金ナノコロイドの水溶液に浸し、乾燥させることで、生地を構成する繊維の表面に白金ナノコロイドの白金粒子を定着させた後、更にブラジャー６０の生地の所定領域に白金ナノコロイドの水溶液を噴霧し、乾燥させることで、該所定領域に係る生地を構成する繊維の表面に白金ナノコロイドの白金粒子を更に定着させてもよい。ここで所定領域とは、人の汗をかきやすい部分の近傍となる領域等である。また、着用したときに内側となる面に、白金粒子が分散した白金ナノコロイドの水溶液を噴霧し、乾燥させることで、生地を構成する繊維の内側の表面に白金ナノコロイドの白金粒子を定着させるようにしてもよい。
【００５１】
従って、第６の実施形態によれば、着用している最中に、白金ナノコロイドの抗酸化作用により、人の皮膚表面等の活性酸素が除去され、アンチエイジング、美肌効果、美髪効果が奏される。さらに、消臭効果、抗菌効果も奏される。
【００５２】
以上説明したように、本発明の実施形態によれば、繊維で構成された生地を加工した下着であって、ナノサイズ（例えば、平均粒径が１〜１０ｎｍ）の白金粒子が分散した白金ナノコロイドの水溶液に浸し、乾燥させることで、生地を構成する繊維の表面に上記白金ナノコロイドの上記白金粒子を定着させたことを特徴とする下着が提供される。
【００５３】
さらに、繊維で構成された生地を加工した下着であって、少なくとも一部の領域に、ナノサイズ（例えば、平均粒径が１〜１０ｎｍ）の白金粒子が分散した白金ナノコロイドの水溶液を噴霧し、乾燥させることで、該一部の領域に係る生地を構成する繊維の表面に上記白金ナノコロイドの上記白金粒子を定着させたことを特徴とする下着が提供される。
【００５４】
また、繊維で構成された生地を加工した下着であって、人が着用したときに内側となる面に、ナノサイズ（例えば、平均粒径が１〜１０ｎｍ）の白金粒子が分散した白金ナノコロイドの水溶液を噴霧し、乾燥させることで、生地を構成する繊維の上記内側の表面に上記白金ナノコロイドの上記白金粒子を定着させたことを特徴とする下着が提供される。
【００５５】
さらに、繊維で構成された生地を加工した下着であって、ナノサイズ（例えば、平均粒径が１〜１０ｎｍ）の白金粒子が分散した白金ナノコロイドの水溶液に浸し、乾燥させることで、生地を構成する繊維の表面に上記白金ナノコロイドの上記白金粒子を定着させた後、更に一部の領域に、ナノサイズ（例えば、平均粒径が１〜１０ｎｍ）の白金粒子が分散した白金ナノコロイドの水溶液を噴霧し、乾燥させることで、該一部の領域に係る生地を構成する繊維の表面に上記白金ナノコロイドの上記白金粒子を更に定着させたことを特徴とする下着が提供される。
【００５６】
なお、上記一部の領域とは、使用時に人の肌が当接する領域であってよい。
【００５７】
以上、本考案の実施形態について説明したが、本考案はこれに限定されることなく、その趣旨を逸脱しない範囲で種々の改良・変更が可能であることは勿論である。
【符号の説明】
【００５８】
１  白金ナノコロイド
２  繊維
１０  キャミソール
１１  キャミソール本体
１２  肩紐
２０  タンクトップ
２１  タンクトップ本体
２２  肩掛部
３０  ショーツ
３１  フロント部
３２  バック部
３３  クロッチ部
４０  ブリーフ
４１  フロント部
４２  バック部
４３  前開き部
４４  バンド部
５０  トランクス
５１  フロント部
５２  バック部
５３  前開き部
５４  バンド部
６０  ブラジャー
６１  カップ部
６２  ベルト部
６３  ストラップ部
６４  アジャスター部
６５  ホック部
【図１】
0003153691.tif 000003
【図２】
0003153691.tif 000004
【図３】
0003153691.tif 000005
【図４】
0003153691.tif 000006
【図５】
0003153691.tif 000007
【図６】
0003153691.tif 000008
【図７】
0003153691.tif 000009